(57)【要約】【課題】  本発明は、画像情報の読影をはじめとする画像診断を支援する医療情報システムに関するものであり、担当医と読影専門医の画像診断を支援する症例データベースの質、量を充実させるために、新規症例を症例データベースへ登録するシステムを確立することを目的とする。【解決手段】  撮影を行う担当医と、読影診断を行う読影専門医と、症例画像およびその所見情報が保存されている症例データベースとから構成される医療情報システムで、新規診断画像と前記担当医の前記診断画像に関する所見情報と、前記読影専門医の前記診断画像に関する診断結果および検査所見情報などの画像情報を前記症例データベースに登録するための画像登録システム。前記画像情報が前記症例データベースへの登録される際には、前記担当医が支払う読影サービス料に対し減価処理が行われる画像登録システム。【選択図】  図１
2007072688.tif 000002
【特許請求の範囲】
【請求項１】
担当医が診療を担当する被検者の画像情報を読影専門医に送信する送信手段と
前記画像情報を転送する転送手段と、
前記画像情報を受信画像として受信する受信手段と、
前記受信画像を読影専門医が診断を行う診断手段と、
前記画像情報を症例データベースに登録する登録手段と、
からなる医療情報システム。
【請求項２】
請求項１において、
前記画像情報が前記症例データベースへ登録される際には、前記担当医が支払う読影サービス料に対し減価処理が行われる画像登録システム。
【請求項３】
請求項１において、
前記症例データベースへの登録許可を示す許可フラグを付加する付加手段を更に有し、
前記送信手段は、
前記許可フラグ情報と前記画像情報とともに送信すること
を特徴とする画像登録システム。
【請求項４】
請求項１において
前記読影専門医が診断結果を前記担当医へ返答する診断結果返答手段と、
前記担当医が前記症例データベースへの登録を許可する許可情報転送手段と、
を更に有し、
前記許可情報転送手段に先立って前記診断結果返答手段が実行されること、
を特徴とする画像登録システム。
【請求項５】
請求項１において、
前記転送手段とは、
前記送信手段から前記受信手段へインターネットを介して転送すること
を特徴とする画像登録システム。
【請求項６】
請求項１において、
前記転送手段とは、
前記送信手段から前記症例データベースへ転送し、
前記症例データベースから前記受信手段へ転送すること
を特徴とする画像登録システム。
【請求項７】
請求項１において、
前記転送手段とは、
前記送信手段から前記症例データベースとは異なるデータサーバへ転送し、
前記データサーバから前記受信手段へ転送すること
を特徴とする画像登録システム。
【請求項８】
請求項１において、
前記画像情報とは、
画像と、前記担当医の所見情報とからなること
を特徴とする画像登録システム。
【請求項９】
請求項１において、
前記画像情報とは、
画像と、前記読影専門医の診断結果および所見情報とからなること
を特徴とする画像登録システム。
【請求項１０】
請求項１において、
前記画像情報とは、
画像と、前記担当医の所見情報と、前記読影専門医の診断結果および所見情報とからなること
を特徴とする画像登録システム。
【請求項１１】
請求項１において、
前記登録手段とは、
前記症例データベース内にある前記画像情報に対して
公開フラグを有効にすることを示し、
症例データベース内の症例画像情報を検索する検索手段は
公開フラグが有効である画像情報のみを検索対象とすること
を特徴とする画像登録システム。
【請求項１２】
請求項１もしくは請求項１１において、
公開フラグを付加する公開フラグ付加手段を更に有し、
前記診断手段の後に、前記公開フラグ付加手段により
前記公開フラグが付加されること
を特徴とする画像登録システム。
【請求項１３】
請求項１もしくは請求項７もしくは請求項１１において、
前記データサーバから前記症例データベースへ前記画像情報が送信されるデータベース送信手段を更に有し、
前記公開フラグが有効にされたときに、データベース送信手段が実行されること
を特徴とする画像登録システム。
【請求項１４】
請求項１において、
前記画像情報を前記症例データベースに転送する第二の転送手段を更に有し、
前記登録手段とは、
前記第二の転送手段を実行することを示し、
症例データベース内の症例画像情報を検索する検索手段は
症例データベース内の全ての画像情報を検索対象とすること
を特徴とする画像登録システム。
【請求項１５】
請求項１もしくは請求項１３において、
前記転送手段を指示する転送指示手段を更に有し、
前記診断手段の後に、前記転送指示手段により、
前記転送手段が実行されることを
を特徴とする画像登録システム。
【請求項１６】
請求項１もしくは請求項４もしくは請求項１１において、
前記登録手段とは、
前記許可フラグが有効、もしくは前記許可情報転送手段により登録が許可されたとき、
かつ、前記公開フラグが有効であるときにおいて、
前記画像情報が前記症例データベースに症例として登録されること
を特徴とする画像登録システム。
【請求項１７】
請求項１もしくは請求項４もしくは請求項１１において、
前記登録手段とは、
前記許可フラグが有効であり、
もしくは前記許可情報転送手段により登録が許可されたとき、
かつ、前記公開フラグが無効であるとき、
前記画像情報が前記症例データベースに症例として登録されないこと
を特徴とする画像登録システム。
【請求項１８】
請求項１もしくは請求項４もしくは請求項１１において、
前記登録手段とは、
前記許可フラグが無効であり、
もしくは前記許可情報転送手段により登録が許可されなかったとき、
かつ、前記公開フラグが有効であるとき、
前記画像情報が前記症例データベースに症例として登録されないこと
を特徴とする画像登録システム。
【請求項１９】
請求項１もしくは請求項４もしくは請求項１１において、
前記登録手段とは、
前記許可フラグが無効であり、
もしくは前記許可情報転送手段により登録が許可されなかったとき、
かつ、前記公開フラグが無効であるとき、
前記画像情報が前記症例データベースに症例として登録されないこと
を特徴とする画像登録システム。
【請求項２０】
請求項１もしくは請求項４もしくは請求項１１において、
公開フラグを有効にする公開フラグ有効手段を更に有し、
前記登録手段とは、
前記許可フラグが有効であるとき、
もしくは前記許可情報転送手段により登録が許可されたとき、
公開フラグ有効手段により前記公開フラグが有効にされ、
前記画像情報が前記症例データベースに症例として登録されることであり、
前記許可フラグが無効であるとき、
もしくは前記許可情報転送手段により登録が許可されなかったとき、
前記画像情報が前記症例データベースに症例として登録されないこと
を特徴とする画像登録システム。
【請求項２１】
請求項１もしくは請求項４もしくは請求項１４において、
前記登録手段とは、
前記許可フラグが有効であったとき、
もしくは、前記許可情報転送手段により登録が許可されたとき、
かつ、前記転送指示手段が使用されたとき、前記第二の転送手段が実行され、
前記画像情報が前記症例データベースに症例として登録されること
を特徴とする画像登録システム。
【請求項２２】
請求項１もしくは請求項４もしくは請求項１４において、
前記登録手段とは、
前記許可フラグが有効であったとき、
もしくは、前記許可情報転送手段により登録が許可されたとき、
かつ、前記転送指示手段が使用されなかったとき、
前記画像情報が前記症例データベースに症例として登録されないこと
を特徴とする画像登録システム。
【請求項２３】
請求項１もしくは請求項４もしくは請求項１４において、
前記登録手段とは、
前記許可フラグが無効であったとき、
もしくは前記許可情報転送手段により登録が許可されなかったとき、
かつ、前記転送指示手段が使用されたとき、
前記画像情報が前記症例データベースに症例として登録されないこと
を特徴とする画像登録システム。
【請求項２４】
請求項１もしくは請求項４もしくは請求項１４において、
前記登録手段とは、
前記許可フラグが無効であったとき、
もしくは前記許可情報転送手段により登録が許可されなかったとき、
かつ、前記転送指示手段が使用されなかったとき、
前記画像情報が前記症例データベースに症例として登録されないこと
を特徴とする画像登録システム。
【請求項２５】
請求項１もしくは請求項４もしくは請求項１４において、
前記登録手段とは、
前記許可フラグが有効であるとき、
もしくは前記許可情報転送手段により登録が許可されたとき、
前記転送指示手段が使用され、さらに前記第二の転送手段が実行され、
前記画像情報が前記症例データベースに症例として登録されることであり、
前記許可フラグが無効であるとき、
もしくは前記許可情報転送手段により登録が許可されなかったとき、
前記画像情報が前記症例データベースに症例として登録されないこと
を特徴とする画像登録システム。
【発明の詳細な説明】
【技術分野】
【０００１】
本発明は、コンピュータネットワークを利用し、主として個人開業医における患部画像情報の読影をはじめとする画像診断を支援する医療情報システムに関するものである。
【背景技術】
【０００２】
従来、例えば特開平９−７０３９０号公報に示されるように院内ＬＡＮを活用し、患者ごとのカルテ情報をコンピュータ管理するシステムが提案されている。これは医療行為の場所移動に伴う継続的な患者の状態把握を意図したものであり、入院から退院まで１人の患者情報を一元化することにより、処置の指示誤り防止や文書削減を達成している。一方歯科においては、特開平９−３４９６３号公報に示されるように口腔内画像やＸ線画像情報などをデジタルデータ化し、手元操作のリモートコントロールスイッチにて各歯科診療椅子の近傍に呼び出したり保存したりするものが実用化されている。遠隔画像診断の例としては離島、僻地の診療所から画像転送装置によって読影を依頼するシステムが提案されている（例えば加藤二久：「基準規格による画像通信」歯科領域における画像通信システムの現状と将来、歯科展望別冊／歯科画像診断の最前線：医歯薬出版：９１〜９８，１９９７など）。
【０００３】
症例データベースシステムに関する提案は特開2002-63280に示されている。しかし、画像を登録する手段に関して、担当医が提供した画像総数やその所見情報の量によって他症例検索時の手数料を割り引くという手段を示している。
【特許文献１】特開平０９−７０３９０号公報
【特許文献２】特開平０９−３４９６３号公報
【特許文献３】特開２００２−６３２８０号公報
【発明の開示】
【発明が解決しようとする課題】
【０００４】
特開2002-63280で画像を登録する手段に関して、担当医が提供した画像総数やその所見情報の量によって、他症例検索時の手数料を割り引くという手段を示している。しかしこの手段では、症例データベースを最も利用するであろうと思われる個人開業医は、患者数が少ないという点から、利用しづらい登録手段と言え、症例データベースの積極的な活用がなされないという課題が生じる。
【課題を解決するための手段】
【０００５】
大病院に比べ撮影枚数が少ない個人開業医においても使いやすい症例データベースシステムであるために、提供をする画像総数に着目するのではなく診断をする画像1枚1枚に着目し、さらに、個人開業医が最も利用する読影診断サービスという診断方法内で新たな登録手段を確立することで、個人開業医にも利用しやすい医療情報システムが成り立つ。
【０００６】
本発明では、上記課題に対し、このような課題を解決する手段をとる。
すなわち、担当医が診療を担当する被検者の画像情報を読影専門医に送信する送信手段と
前記画像情報を転送する転送手段と、
前記画像情報を受信画像として受信する受信手段と、
前記受信画像を読影専門医が診断を行う診断手段と、
前記画像情報を症例データベースに登録する登録手段と、
からなる医療情報システムからなる。
【発明の効果】
【０００７】
本発明によると、担当医が提供する画像総数に着目するのではなく診断をする画像1枚1枚に着目したことと、個人開業医が最も利用する読影診断サービスという診断方法内で新たな登録手段を確立したことで、大病院に比べ撮影枚数が少ない個人開業医においても利用しやすい症例データベースシステムテムが成り立った。
【発明を実施するための最良の形態】
【０００８】
本実施例では、画像情報の読影をはじめとする画像診断を支援する医療情報システムの中で、症例データベースに新規症例画像を登録するための画像登録システムの実施例を示す。
【０００９】
図１において、画像情報の読影をはじめとする画像診断を支援する医療情報システムの構成図を示す。担当医側のマシンと読影専門医側のマシンと症例データベースがインターネットを介して接続されている。この状態において、担当医に関しては症例データベースへアクセスし検索をすることに対して、症例検索料金がフリーの状態であってもよいし、症例検索料金がかかっていてもよい。一方、読影専門医に関しては症例データベースへアクセスし検索をすることに対して、症例検索料金はフリーである。
【００１０】
以下、本発明の症例データベースへ新規画像情報を登録する画像登録方法について、図面を用いて説明する。
【００１１】
まず図２に担当医から読影専門医の診断を経て症例データベースへ登録されるまでの画像情報の流れを４つ示している。それぞれのモードはシステムの設置時に設定され、運用後にユーザーの希望があれば変更は可能である。
【００１２】
図２−１は直接画像情報転送モードである。まず担当医がインターネットを介して、画像情報を読影専門医に転送する(ステップ２１１)。ステップ２１１によって転送された画像情報を受信した読影専門医は診断を行う。そして読影専門医が読影専門医の診断結果と所見情報をつけ、さらに症例データベースへと画像情報を転送し登録を完了させる(ステップ２１２)。
【００１３】
図２−２は症例DB経由転送モードである。まず担当医がインターネットを介して、画像情報を症例データベースへ転送する(ステップ２２１)。読影専門医はインターネットを介して症例データベースからステップ２２１で転送された画像情報を取得する(ステップ２２２)。画像情報を受信した読影専門医は診断を行う。そして読影専門医がステップ２２２で取得した画像情報に読影専門医の診断結果と所見情報をつけ、さらに公開フラグをたてることで症例データベースへの登録を完了させる(ステップ２２３)。
【００１４】
図２−３はデータサーバ経由モードその１である。まず担当医がインターネットを介し、症例データベースとは別のデータサーバに画像情報を転送する(ステップ２３１)。読影専門医はデータサーバからステップ２３１で転送された画像情報を取得する(ステップ２３２)。画像情報を受信した読影専門医は診断を行う。そして読影専門医が読影専門医の診断結果と所見情報をつけ、さらに症例データベースに画像情報を転送し登録を完了させる(ステップ２３３)。
【００１５】
図２−４はデータサーバ経由モードその２である。まず担当医がインターネットを介し、症例データベースとは別のデータサーバに画像情報を転送する(ステップ２４１)。読影専門医はデータサーバからステップ２４１で転送された画像情報を取得する(ステップ２４２)。画像情報を受信した読影専門医は診断を行う。そして読影専門医が読影専門医の診断結果と所見情報をつけ、さらにデータサーバに画像情報を転送する(ステップ２４３)。最後にデータサーバから症例データベースへ転送を行うことで登録を完了させる(ステップ２４４)。
【００１６】
図３に画像登録システム全体のおおまかなフローを示す。
【００１７】
下記に記されている様々なモードは全てシステムの設置時に設定され、運用後にユーザーの希望があれば変更は可能である。
【００１８】
まず、担当医が患者を撮影することで新規診断画像が作成される。この新規診断画像そのもの、もしくは担当医による所見情報をさらに付加したものをこの段階での画像情報として指し、担当医によって作成される。(ステップ３０１)。
【００１９】
次に得られた画像情報が読影専門医に転送される（ステップ３０２）のだが、図２で示した転送モードによって転送のされ方が異なる。各種転送モード別に実施例を説明する。
【００２０】
図４に直接画像情報転送モードにおけるステップ３０２の処理フローを示した。以下に直接画像情報転送モードの処理の詳細を示す。担当医側から画像を転送する際にまず、許可フラグモードであるかを確認する(ステップ４０２)。許可フラグモードとは、ステップ３０１で得られた画像情報を、症例データベースに登録することを担当医が許可をするのかしないのかという判断を、画像転送時に付加して転送するモードである。許可フラグモードである場合は、許可フラグを付加する(ステップ４０３)。ステップ３０１で作成した画像情報を症例データベースに登録をすることを担当医が許可する場合は、ステップ４０３で付加した許可フラグを有効にする(ステップ４０５)。一方、ステップ３０１で作成した画像情報を症例データベースに登録をすることを担当医が許可しない場合は、ステップ４０３で付加した許可フラグを無効にする(ステップ４０６)。許可フラグモードでない場合は何も付加しない。そして、担当医はインターネットを介してステップ３０１で作成した画像情報を読影専門医へと送信する(ステップ４０７)。許可フラグモードの場合は、ステップ４０３で付加された許可フラグも同時に送信する。読影専門医はステップ４０７で送信されてきた画像情報を受信する(ステップ４０８)。
【００２１】
図５に症例DB経由転送モードにおけるステップ３０２の処理フローを示した。以下に症例DB経由転送モードの処理の詳細を示す。担当医側から画像を転送する際にまず、許可フラグモードであるかを確認する(ステップ５０２)。許可フラグモードである場合は、許可フラグを付加する(ステップ５０３)。ステップ３０１で作成した画像情報を症例データベースに登録をすることを担当医が許可する場合は、ステップ５０３で付加した許可フラグを有効にする(ステップ５０５)。一方、ステップ３０１で作成した画像情報を症例データベースに登録をすることを担当医が許可しない場合は、ステップ５０３で付加した許可フラグを無効にする(ステップ５０６)。許可フラグモードでない場合は何も付加しない。そして、担当医はステップ３０１で作成した画像情報を症例データベースへと転送する(ステップ５０７)。許可フラグモードの場合は、ステップ５０３で付加された許可フラグも同時に転送する。読影専門医はステップ５０７で転送された画像情報を、症例データベースから取得する(ステップ５０８)。
【００２２】
図６にデータサーバ経由転送モードにおけるステップ３０２の処理フローを示した。以下に症例DB経由転送モードの処理の詳細を示す。担当医側から画像情報を転送する際にまず、許可フラグモードであるかを確認する(ステップ６０２)。許可フラグモードである場合は、許可フラグを付加する(ステップ６０３)。ステップ３０１で作成した画像情報を症例データベースに登録をすることを担当医が許可する場合は、ステップ６０３で付加した許可フラグを有効にする(ステップ６０５)。一方、ステップ３０１で作成した画像情報を症例データベースに登録をすることを担当医が許可しない場合は、ステップ６０３で付加した許可フラグを無効にする(ステップ６０６)。許可フラグモードでない場合は何も付加しない。そして、担当医はステップ３０１で作成した画像情報をデータサーバへと転送する(ステップ６０７)。許可フラグモードの場合は、ステップ６０３で付加された許可フラグも同時に転送する。ステップ６０７で転送された画像情報を読影専門医はデータサーバから取得する(ステップ６０８)。
【００２３】
以上により読影専門医にステップ３０１で得られた画像情報が転送される。
【００２４】
図９にステップ３０２における担当医側のUI画面例を示した。UI画面上には診断画像(９０１)と、患者情報(９０２)と、担当医による所見情報(９０３)と、症例データベースにこの画像情報の登録を許可するラジオボタン(９０４)と、症例データベースにこの画像情報の登録を許可しないラジオボタン(９０５)と、読影依頼ボタン(９０６)が存在する。９０１の診断画像と９０２の患者情報と９０３の担当所見情報はステップ３０１によって作成される。許可フラグモードである場合、ステップ３０２ではまず、９０４のラジオボタンか９０５のラジオボタンかを選択する。症例データベースへの登録を許可する場合は９０４のラジオボタンにチェックを入れる。一方、症例データベースへの登録を許可しない場合は９０５のラジオボタンにチェックを入れる。そして、９０６の読影依頼ボタンをクリックすることで、各モードに沿った転送先へ転送が行われることになる。許可フラグモードでない場合、９０４のラジオボタンと９０５のラジオボタンは共にチェックすることが不可能な状態になり、９０５の読影依頼ボタンをクリックすることのみになる。
【００２５】
ここで図３に戻る。画像情報はステップ３０１で作成され、ステップ３０２で読影専門医に転送され、次に読影専門医によって診断がなされる(ステップ３０３)。そしてステップ３０３で得られた診断結果および読影専門医の所見情報が、ステップ３０１で作成された画像情報に付加される(ステップ３０４)。
【００２６】
図１０にステップ３０４における担当医側のUI画面例を示した。UI画面上には診断画像(１００１)と、患者情報や担当医の所見情報(１００２)と、読影専門医による検査所見情報(１００３)と、症例データベースにこの画像情報の登録を許可するラジオボタン(１００４)と、症例データベースにこの画像情報の登録を許可しないラジオボタン(１００５)と、読影依頼ボタン(１００６)が存在する。１００１の診断画像と１００２の患者情報や担当医の所見情報と１００３の読影専門医による検査所見情報はステップ３０１によって作成され、ステップ３０２によって転送されてきた情報である。ステップ３０４ではまず、１００４のラジオボタンか１００５のラジオボタンかを選択する。症例データベースへの登録を許可する場合は１００４のラジオボタンにチェックを入れる。一方、症例データベースへの登録を許可しない場合は１００５のラジオボタンにチェックを入れる。ただし、自動登録モードが選択されている場合は、１００４のラジオボタン以外は選択が不可能な状態となる。自動登録モードとは、読影専門医による症例データベースへ登録をすべきかどうかの判断は無く、担当医のみの判断で症例データベースへの登録が決まるモードである。また、担当医が症例データベースへの登録を許可しない９０５のラジオボタンを選択した場合、１００５のラジオボタン以外は選択が不可能な状態となる。担当医が症例データベースへの登録を許可する９０４のラジオボタンを選択した場合、１００４のラジオボタンにデフォルトでチェックが入るようになっている。そして、１００６の読影完了ボタンをクリックすることで、ステップ３０５へと処理が移行する。
【００２７】
次に症例DB登録処理(ステップ３０５)が行われるのだが、登録モードによって処理のされ方が異なる。登録モードには「許可フラグモード」と「許可情報返答モード」の2種類ある。許可フラグモードとは前記にも記したが再記すると、ステップ３０１で得られた画像情報を、症例データベースに登録することを担当医が許可をするのかしないのかという判断を、画像転送時に付加して転送するモードである。一方、許可情報返答モードは、ステップ３０１で得られた画像情報を、症例データベースに登録することを担当医が許可をするのかしないのかという判断を、担当医が読影専門医の診断結果を通知されてから判断し、担当医がその判断結果を返す方法である。以下には登録モード別の登録処理の実施例を説明する。
【００２８】
図７に許可フラグモードにおけるステップ３０５の処理フローを示した。まず、ステップ３０２で付加されている許可フラグが有効であるかを調べる(ステップ７０２)。許可フラグが無効である場合、公開フラグモードであるかを確認する(ステップ７０３)。公開フラグとは、症例データベース内に存在する画像情報を症例として登録をするかしないかの判断基準であり、公開フラグモードとは、この公開フラグを用いた登録方法のことを指す。公開フラグモードで無い場合は、特に処理は行わずに症例データベースには登録しないことになる(ステップ７０６)。公開フラグモードである場合は、公開フラグを付加し(ステップ７０４)、公開フラグを無効にする(ステップ７０５)。そして、症例データベースには登録しないことになる(ステップ７０６)。一方、許可フラグが有効である場合、自動登録モードであるかを確認する(ステップ７０７)。許可フラグモードでかつ自動登録モードであれば、許可フラグが有効であった状態で、症例データベースへの登録が決定することになる。自動登録モードでない場合、読影専門医がステップ３０１およびステップ３０４で作成された画像情報を症例データベースへ登録をすべきかどうかの判断を行う(ステップ７０８)。読影専門医が登録をすべきではないという判断を下した場合は、公開フラグモードかを確認する(ステップ７０３)。公開フラグモードでない場合は、特に処理は行わずに症例データベースには登録しないことになる(ステップ７０６)。公開フラグモードである場合は、公開フラグを付加し(ステップ７０４)、公開フラグを無効にする(ステップ７０５)。そして、症例データベースには登録しないことになる(ステップ７０６)。自動登録モードであった場合と、自動登録モードではないが読影専門医が登録をするべきと判断した場合は、公開フラグモードかを確認する(ステップ７０５)。公開フラグモードである場合、公開フラグを付加し(ステップ７１０)、公開フラグを有効にする(ステップ７１１)。以上により、公開フラグモードならば公開フラグをたて、公開フラグモードでないならばそのままの状態で、症例DBに登録すると判断する(ステップ７１２)。
【００２９】
図８に許可情報返答モードにおけるステップ３０５の処理フローを示した。まず、ステップ３０４において得られた診断結果を担当医に通知する(ステップ８０２)。ステップ８０２において取得した診断結果から担当医はステップ３０１およびステップ３０４で作成された画像情報を症例データベースに登録を行うか行わないかの判断をする(ステップ８０３)。担当医がステップ３０１およびステップ３０４で作成された画像情報を症例データベースに登録を行わないと判断した場合、公開フラグモードであるかを確認する(ステップ８０４)。公開フラグモードで無い場合は、特に処理は行わずに症例データベースには登録しないことになる(ステップ８０７)。公開フラグモードである場合は、公開フラグを付加し(ステップ８０５)、公開フラグを無効にする(ステップ８０６)。そして、症例データベースには登録しないことになる(ステップ８０７)。一方、担当医がステップ３０１およびステップ３０４で作成された画像情報を症例データベースに登録をするべきと判断した場合、自動登録モードであるかを確認する(ステップ８０８)。自動登録モードでない場合、読影専門医がステップ３０１およびステップ３０４で作成された画像情報を症例データベースへ登録をすべきかどうかの判断を行う(ステップ８０９)。読影専門医が登録をすべきではないという判断を下した場合は、公開フラグモードであるかを確認する(ステップ８０４)。公開フラグモードでない場合は、特に処理は行わずに症例データベースには登録しないことになる(ステップ８０７)。公開フラグモードである場合は、公開フラグを付加し(ステップ８０５)、公開フラグを無効にする(ステップ８０６)。そして、症例データベースには登録しないことになる(ステップ８０７)。自動登録モードであった場合と、自動登録モードではないが読影専門医が登録をするべきと判断した場合は、公開フラグモードかを確認する(ステップ８１０)。公開フラグモードである場合、公開フラグを付加し(ステップ８１１)、公開フラグを有効にする(ステップ８１２)。以上より、公開フラグモードならば公開フラグを有効にし、公開フラグモードでないならばそのままの状態で、症例データベースに登録すると判断する(ステップ８１３)。
【００３０】
以上により、登録モード別の症例データベースへの登録処理が完成する。
【００３１】
次に図３に戻り、データベースへの画像情報転送処理が始まる(ステップ３０６)のだが、図２で示した転送モードによって転送のされ方が異なる。各種転送モード別に実施例を説明する。
【００３２】
図４に直接画像情報転送モードにおけるステップ３０６の処理フローを示した。以下に直接画像情報転送モードの処理の詳細を示す。ステップ３０５において、症例データベースに登録をしないと判断している場合は、何も処理を行わない。一方、ステップ３０５において、症例データベースに登録をすると判断している場合は、ステップ３０１およびステップ３０４で作成された画像情報を、また、ステップ３０５で公開フラグが付加されている場合は公開フラグも症例データベースに転送する(ステップ４１１)。これにより、担当医の支払う読影診断料金の値引きがされる(ステップ４１２)。
【００３３】
図５に症例DB経由転送モードにおけるステップ３０６の処理フローを示した。以下に症例DB経由転送モードの処理の詳細を示す。ステップ３０５において、症例データベースに登録をしないと判断している場合は、何も処理を行わない。一方、ステップ３０５において、症例データベースに登録をすると判断している場合は、症例データベースにステップ３０１およびステップ３０４で作成された画像情報とステップ３０５で付加される公開フラグを転送する(ステップ５１１)。これにより、担当医の支払う読影診断料金の値引きがされる(ステップ５１２)。
【００３４】
図６にデータサーバ経由転送モードにおけるステップ３０６の処理フローを示した。以下にデータサーバ経由転送モードの処理の詳細を示す。ステップ３０５において、症例データベースに登録をしないと判断している場合は、何も処理を行わない。一方、ステップ３０５において、症例データベースに登録をすると判断している場合は、画像情報をどこから症例データベースに送るかによって２通りの方法が存在する。１つは図２−３の場合で、読影専門医側から症例データベースに転送する場合である。この場合は、症例データベースにステップ３０１およびステップ３０４で作成された画像情報を、また、ステップ３０５で公開フラグが付加されている場合は公開フラグも転送する(ステップ６１５)。もう１つの方法は図２−４の場合で、データサーバから症例データベースへ画像情報を転送する場合である。この場合は、データサーバにステップ３０１およびステップ３０４で作成された画像情報を、また、ステップ３０５で公開フラグが付加されている場合は公開フラグも転送する(ステップ６１２)。その後、データサーバから症例データベースへステップ３０１およびステップ３０４で作成された画像情報を、また、ステップ３０５で公開フラグが付加されている場合は公開フラグも転送する(ステップ６１３)。これにより、担当医の支払う読影診断料金の値引きがされる(ステップ６１４)。
【００３５】
以上ステップ３０６が終了した時点で、新規画像情報の新規症例としての登録が完了する。
【００３６】
最後に読影料金が決定する(ステップ３０７)。読影診断料金は読影診断を依頼した時点である一定の料金が発生する。しかし症例データベースに画像を登録することになった場合には、ステップ４１２もしくはステップ５１２もしくはステップ６１４で診断料の値引きが実行され、値引かれた料金が読影診断料金として確定する。
【図面の簡単な説明】
【００３７】
【図１】画像診断を支援する医療情報システムの構成図。
【図２】担当医から読影専門医の診断を経て症例データベースへ登録されるまでの画像情報の流れを示す図。
【図３】画像登録システム全体のフローを示す図。
【図４】直接画像情報転送モードにおける処理フローを示す図。
【図５】症例DB経由転送モードにおける処理フローを示す図。
【図６】データサーバ経由転送モードにおける処理フローを示す図。
【図７】許可フラグモードにおける処理フローを示す図。
【図８】許可情報返答モードにおける処理フローを示す図。
【図９】担当医側のUI画面例を示す図。
【図１０】読影専門医側のUI画面例を示す図。
【図１】
2007072688.tif 000003
【図２】
2007072688.tif 000004
【図３】
2007072688.tif 000005
【図４】
2007072688.tif 000006
【図５】
2007072688.tif 000007
【図６】
2007072688.tif 000008
【図７】
2007072688.tif 000009
【図８】
2007072688.tif 000010
【図９】
2007072688.tif 000011
【図１０】
2007072688.tif 000012